(57)【要約】【課題】遊星歯車３（遊星転動体）を個別に支持する支持軸４の外周の針状ころ配置領域に潤滑油を効率よく供給できるようにする。【解決手段】支持軸４に、針状ころ５の配置領域に潤滑油を供給するための油通路１５を設ける。支持軸４の一端面には、軸方向に凹むとともに少なくとも径方向の一方角に延びて外周縁に到達する凹部１６を設ける。凹部１６の底に油通路１５の一端を開口させる。これにより、潤滑油が各支持軸４の凹部１６で受け止められるとともに、この凹部１６の内側壁面によって凹部１６に一旦受け止められた潤滑油が出にくくなるので、この凹部１６から油通路１５に多量の潤滑油が入りやすくなる。【選択図】  図１
2005083397.tif 000002
【特許請求の範囲】
【請求項１】
外輪と、外輪の内周に挿入される太陽軸と、太陽軸と外輪との間に介装される複数の遊星転動体と、各遊星転動体にそれぞれ複数のころを介して挿入される支持軸と、各支持軸をそれぞれ支持するキャリアとを備えた遊星式動力伝達装置において、
前記各支持軸には、その一端面側から外周面におけるころ配置領域へ潤滑油を導く油通路が設けられており、
前記支持軸の一端面には、軸方向に凹むとともに少なくとも径方向の一方角に延びて外周縁にまで到達する凹部が設けられており、この凹部の底に前記油通路の一端が開放されている、ことを特徴とする遊星式動力伝達装置。
【請求項２】
外輪と、外輪の内周に挿入される太陽軸と、太陽軸と外輪との間に介装される複数の遊星転動体と、各遊星転動体にそれぞれ複数のころを介して挿入される支持軸と、各支持軸をそれぞれ支持するキャリアとを備えた遊星式動力伝達装置において、
前記各支持軸には、その一端面側から外周面におけるころ配置領域へ潤滑油を導く油通路が設けられており、
前記支持軸の一端面には、軸方向に凹む凹部が前記支持軸の外周縁よりも内径側に設けられており、この凹部の底に前記油通路の一端が開放されている、ことを特徴とする遊星式動力伝達装置。
【請求項３】
前記油通路が、支持軸の凹部の底から他端側途中まで軸方向に沿って設けられる油導入穴と、油導入穴の奥側から支持軸の外周面におけるころ配置領域まで径方向に沿って設けられる油供給孔とで構成されている、請求項１または２に記載の遊星式動力伝達装置。
【請求項４】
前記油導入穴が、前記支持軸の中心軸線から偏心して設けられている、請求項３に記載の遊星式動力伝達装置。
【発明の詳細な説明】
【技術分野】
【０００１】
本発明は、遊星式動力伝達装置に関する。
【背景技術】
【０００２】
従来の遊星式動力伝達装置では、支持軸に複数の針状ころを介して遊星転動体を外装しており、前記支持軸に前記複数の針状ころに潤滑油を供給するための油通路を設けている（特許文献１参照）。
【０００３】
この場合、油通路は、支持軸の一端面から他端側途中まで軸方向に沿って設けられる油導入穴と、油導入穴の奥側から支持軸の外周面におけるころ配置領域まで径方向に沿って設けられる油供給孔とで構成されている。潤滑油は、支持軸の一端面に開放している油導入穴から入って、油供給孔から針状ころに供給される。
【特許文献１】特開２０００−８１１１５号
【発明の開示】
【発明が解決しようとする課題】
【０００４】
上記従来例では、油導入穴が全長にわたって均一な内径寸法であるため、この油導入穴の開口部分に潤滑油が入りにくいと言え、潤滑油の供給効率が悪いと言える。
【課題を解決するための手段】
【０００５】
本発明は、外輪と、外輪の内周に挿入される太陽軸と、太陽軸と外輪との間に介装される複数の遊星転動体と、各遊星転動体にそれぞれ複数のころを介して挿入される支持軸と、各支持軸をそれぞれ支持するキャリアとを備えた遊星式動力伝達装置において、前記各支持軸には、その一端面側から外周面におけるころ配置領域へ潤滑油を導く油通路が設けられており、前記支持軸の一端面には、軸方向に凹むとともに少なくとも径方向の一方角に延びて外周縁にまで到達する凹部が設けられており、この凹部の底に前記油通路の一端が開放されている、ことを特徴としている。
【０００６】
この場合、支持軸の端面に設けている凹部に、その周囲から多量の潤滑油が入りやすくなるとともに、この凹部の内側壁面によって凹部に一旦受け止められた潤滑油が出にくくなるので、この凹部から油通路に潤滑油が導入されやすくなり、ころ配置領域へ供給する潤滑油の量が増加する。
【０００７】
本発明は、外輪と、外輪の内周に挿入される太陽軸と、太陽軸と外輪との間に介装される複数の遊星転動体と、各遊星転動体にそれぞれ複数のころを介して挿入される支持軸と、各支持軸をそれぞれ支持するキャリアとを備えた遊星式動力伝達装置において、前記各支持軸には、その一端面側から外周面におけるころ配置領域へ潤滑油を導く油通路が設けられており、前記支持軸の一端面には、軸方向に凹む凹部が前記支持軸の外周縁よりも内径側に設けられており、この凹部の底に前記油通路の一端が開放されている軸体の外周に複数のころを介して遊星転動体を嵌め合わせた遊星転動体の支持構造において、前記各軸体には、その一端面側から外周面におけるころ配置領域へ潤滑油を導く油通路が設けられており、前記軸体の一端面には、軸方向に凹むとともに少なくとも径方向の一方角に延びて外周縁に到達する凹部が設けられており、この凹部の底に前記油通路の一端が開口されていることを特徴としている。
【０００８】
この場合、支持軸の端面に設けている凹部に、その周囲から多量の潤滑油が受け止められて、この凹部から油通路に潤滑油が導入されやすくなるので、ころ配置領域へ供給する潤滑油の量が増加する。
【０００９】
本発明の好ましい実施態様として、前記油通路が、前記支持軸の凹部の底から他端側途中まで軸方向に沿って設けられる油導入穴と、油導入穴の奥側から支持軸の外周面におけるころ配置領域まで径方向に沿って設けられる油供給孔とで構成することができる。
【００１０】
この場合、例えば油導入穴は支持軸の一端から軸方向に沿ってドリル加工することにより、また、油供給穴は支持軸の径方向に沿ってドリル加工することにより、簡単に形成することが可能であり、加工コストの低減に貢献できる。
【００１１】
本発明の好ましい実施態様として、前記油導入穴が、前記支持軸の中心軸線から偏心して設けられた構成とすることができる。
【００１２】
この場合、油導入穴の偏心配置により径方向厚みが厚肉となる部分を例えば支持軸に作用する荷重の負荷圏に配置することが可能になり、耐荷重性を高めるうえで有利となる。
【発明の効果】
【００１３】
本発明の遊星式動力伝達装置は、支持軸の油通路に外部に存在する潤滑油を効率よく導入して支持軸の外周面におけるころ配置領域に安定的に供給できるようになるので、遊星転動体の動作安定性を向上できるなど、信頼性を高めることができる。
【発明を実施するための最良の形態】
【００１４】
図１から図３を参照して、本発明の実施の形態を説明する。図１は、遊星歯車式動力伝達装置の上半分を断面にした側面図、図２は、図１の（２）−（２）線断面の矢視図、図３は、図２に示す支持軸の一端面を拡大して示す斜視図である。図には、周知の遊星歯車式動力伝達装置を例に挙げている。
【００１５】
図中、１は外輪としてのリング歯車、２は太陽軸としての太陽歯車、３は複数の遊星転動体としての遊星歯車、４は複数の支持軸、５は複数のころとしての針状ころ、６は保持器、７はキャリアである。
【００１６】
リング歯車１は、太陽歯車２およびキャリア７の周囲に、これら太陽歯車２およびキャリア７に対し相対回転自在に支持されるものであり、内周にはヘリカルギヤが形成されている。
【００１７】
太陽歯車２は、その内周にスプラインが、また、外周にヘリカルギヤがそれぞれ形成されており、この内周に第１回転軸１１がスプライン嵌合されている。
【００１８】
遊星歯車３は、その内周が円形で、外周にヘリカルギヤが形成されており、この遊星歯車３それぞれがリング歯車１と太陽歯車２とに噛合されている。
【００１９】
支持軸４は、遊星歯車３の内周に針状ころ５および保持器６を介して挿入されている。針状ころ５および保持器６は針状ころ軸受を構成している。針状ころ５は、遊星歯車３の内周面を外輪軌道とし、支持軸４の外周面を内輪軌道とする。
【００２０】
キャリア７は、２枚の対向する環状板８，９の外径側の円周数箇所を架橋壁１０で連接したような形状である。第１、第２環状板８，９の対応する円周数箇所（３箇所）には、貫通孔８ａ，９ａがそれぞれ厚み方向に沿って設けられており、第１環状板８の貫通孔８ａに支持軸４の一端が、また、第２環状板９の貫通孔９ａに支持軸４の他端がそれぞれ嵌入装着されている。支持軸４は、キャリア７に図示しないストッパピンなどを用いて軸方向の位置決めと回り止めとを行うようにしてもよい。また、第１環状板８の中心孔には、スプラインが形成されており、この中心孔に第２回転軸１２がスプライン嵌合されている。
【００２１】
次に、例えばリング歯車１を固定した場合の動作を説明する。まず、第１回転軸１１を駆動する場合には、太陽歯車２が一体回転するので、遊星歯車３が自転および公転し、この公転に伴いキャリア７および第２回転軸１２が従動される。これにより、第１回転軸１１の回転動力が減速されて第２回転軸１２に伝達される。
【００２２】
一方、第２回転軸１２を駆動する場合には、キャリア７が一体回転するので、遊星歯車３が自転および公転し、この公転に伴い太陽歯車２および第１回転軸１１が従動される。これにより、第２回転軸１２の回転動力が増速されて第１回転軸１１に伝達される。
【００２３】
この実施形態では、複数の針状ころ５の配置空間に潤滑油を供給するための油通路１５を各支持軸４に設けているので、詳しく説明する。
【００２４】
各支持軸４の一端面には、軸方向に凹むとともに径方向の一方角に延びて外周縁にまで到達する凹部１６が設けられている。
【００２５】
油通路１５は、各支持軸４における一端面側から外周面における針状ころ配置領域へ潤滑油を導くものであり、油導入穴１５ａと、油供給孔１５ｂとで構成されている。
【００２６】
油導入穴１５ａは、各支持軸４の一端の凹部１６における底から他端側途中まで軸方向に沿って設けられている。この油導入穴１５ａは、支持軸４の中心軸線Ｏから太陽歯車２寄りに偏心して設けられている。
【００２７】
油供給孔１５ｂは、油導入穴１５ａの奥側から支持軸４の外周面における針状ころ配置領域まで径方向に沿って設けられている。
【００２８】
各支持軸４は、例えばクロムモリブデン鋼（ＪＩＳ  Ｇ  ４１０５）に硬化処理（浸炭焼入れ、焼き戻し）を施したもの、あるいは高炭素クロム軸受鋼（ＪＩＳ  Ｇ  ４８０５）を硬化処理（ずぶ焼入れ、焼き戻し）したものなどが挙げられる。
【００２９】
油導入穴１５ａは、支持軸４の一端から軸方向に沿ってドリル加工することにより、また、油供給穴１５ｂは、支持軸４の径方向に沿ってドリル加工することにより、簡単に形成することができ、加工コストの低減に貢献できる。凹部１６は、支持軸４の一端面にプレスなどの塑性加工により凹ませて形成したり、あるいは切削加工などにより削って形成したりすることができる。
【００３０】
このような遊星歯車式動力伝達装置では、図示しないケース内に存在する潤滑油が各支持軸４の凹部１６に向けて流れてくると、面積の広い凹部１６で受け止められるとともに、この凹部１６の内側壁面によって凹部１６に一旦受け止められた潤滑油が出にくくなるので、この凹部１６から油導入穴１５ａに多量の潤滑油が入りやすくなる。そのため、油供給孔１５ｂを通じて針状ころ５が配置される空間へ供給される潤滑油の量が多くなり、遊星歯車３を安定的に支持できるようになる。
【００３１】
以下、本発明の他の実施形態を説明する。
【００３２】
凹部１６は、図４に示すように、帯状の溝とし、支持軸４の一端面で中心を通るよう径方向に沿って設けるとともに、支持軸４の一端面において１８０度対向する二方角に延びて外周縁に到達させるように形成することができる。この場合、支持軸４の周囲の潤滑油が凹部１６内に一層入りやすくなる。
【００３３】
凹部１６は、図５に示すように、支持軸４の一端面に、この一端面の外周縁よりも内径側に収まる範囲に形成することができる。この凹部１６を平面から見た形状は、図示している矩形の他、円形、菱形など任意である。
【００３４】
油導入穴１５ａは、支持軸４の中心軸線Ｏと同軸上に形成することができる。
【００３５】
油導入穴１５ａは、支持軸４の全長にわたって貫通して設けてから、片端の開口を栓で閉塞することにより得ることもできる。
【００３６】
油導入穴１５ａと油供給孔１５ｂとを、支持軸４の中心軸線Ｏに対して斜めとなる１本の貫通孔で構成することができる。この場合、油導入孔１２と油供給孔１３とを一回のドリル加工で形成することができる。
【００３７】
キャリア７は、単一の環状板を備える構成とし、この環状板に複数の支持軸４を片持ち梁状に支持した構成にすることができる。
【００３８】
本発明は、リング歯車１と太陽歯車２と遊星歯車３との各ヘリカルギヤを無くして、リング歯車１の内周と太陽歯車２の外周と遊星歯車３の外周とを円形にし、それらを摩擦力により転動動作する方式の遊星摩擦式動力伝達装置にも適用することができる。
【図面の簡単な説明】
【００３９】
【図１】本発明の一実施形態に係る遊星歯車式動力伝達装置の上半分を断面にした側面図
【図２】図１の（２）−（２）線断面の矢視図
【図３】図２に示す支持軸の一端面を拡大して示す斜視図
【図４】図３に示す支持軸の他の例を示す斜視図
【図５】図３に示す支持軸のさらに他の例を示す斜視図
【符号の説明】
【００４０】
１    リング歯車                  ２    太陽歯車
３    遊星歯車                    ４    支持軸
５    針状ころ                    ６    保持器
７    キャリア                  １５    油通路
１５ａ  油導入穴                  １５ｂ  油供給孔
１６    凹部
【図１】
2005083397.tif 000003
【図２】
2005083397.tif 000004
【図３】
2005083397.tif 000005
【図４】
2005083397.tif 000006
【図５】
2005083397.tif 000007